(57)【要約】【課題】調和信号等の振動により簡便に病気を治療する。【解決手段】ＣＤ１には、肩凝り、腰痛等の適応症に合わせて互いに異なる周波数の可聴帯域の信号をそれぞれ一定レベルで合成して成る調和信号が記録されている。このＣＤ１をＣＤプレーヤ等の再生装置２で再生する。再生された調和信号はアンジュレータ３に伝えられる。アンジュレータ３は調和信号を振動体３ｅの機械的な振動に変換する。使用者はアンジュレータ３の把持部３ｃを手で持って押当て部３ｂを患部に押当てて振動体３ｅの振動を患部に作用させることにより治療を行うことができる。【選択図】図１
2006271982.tif 000002
【特許請求の範囲】
【請求項１】
適応症に応じて互いに異なる周波数を有しかつ所定レベルの複数の信号を合成して成る調和信号が記録されて成り、
複数の適応症に対応する複数の調和信号がそれぞれ所定の時間連続した状態で記録されていることを特徴とする医療用記録媒体。
【請求項２】
上記周波数は可聴帯域にあることを特徴とする請求項１記載の医療用記録媒体
【請求項３】
適応症に応じて互いに異なる周波数を有しかつ所定レベルの複数の信号を合成して成る調和信号が記録されて成り、複数の適応症に対応する複数の調和信号がそれぞれ所定の時間連続した状態で記録されている医療用記録媒体と、
上記医療用記録媒体を再生する再生装置と、
上記再生装置で再生された上記調和信号を機械的な所定方向の振動に変換して振動体に伝える変換手段を有する医療用振動装置とを備えた医療装置。
【発明の詳細な説明】
【技術分野】
【０００１】
本発明は、病気の治療を簡便に行うために用いられるＣＤ（コンパクトディスク）等の医療用記録媒体、及び、上記医療用記録媒体、その再生装置、医療用記録媒体の再生信号を振動に変換して患部に伝達する医療用振動装置から成る医療装置に関するものである。
【背景技術】
【０００２】
病院等の医療施設において患者に対して行われている従来の治療方法としては、一般に薬剤の投与、手術、マッサージ、リハビリテーション、放射線やレーザ光による治療等が行われている。漢方医学では、さらに、針灸、指圧、気功等が行われている。また、従来より、肩凝り、腰痛等の治療のために、一定の大きさの単一周波数から成る振動を肩や腰に与えるようにしたバイブレータ、マッサージ器等の装置が用いられている。
【発明の開示】
【発明が解決しようとする課題】
【０００３】
しかしながら、上述した従来の治療方法では、例えば、薬剤を用いる場合は、副作用等の薬害が懸念され、また、手術を行えば患者は身体を傷付けられると共に傷跡も残ることになり、さらに患者は苦痛や不安にも耐えなければならない。また、従来の治療方法は、技術的に複雑で困難なものが多く、このため高度に専門的な知識と熟練した技術を持つ者が治療に当る必要がある。さらに治療のために多くの時間や労力、費用を要し、種々の設備や器具等も必要とする。また、患者にとっても治療や検査中に不安や苦痛を伴い、誤診の心配等も生じる。
上述のような様々な事情により、従来は人々が病院等に気軽に相談に行くことができず、このため病気が手おくれになる等の問題が生じていた。
【０００４】
また、従来のバイブレータ、マッサージ器等の装置は、単一周波数の振動を一定の大きさで患部に伝えるだけであり、肩凝りや腰痛等に対して必ずしも充分な治療効果が得られるとは言い難いものであった。
【０００５】
本発明は上述のような実情に鑑み成されたもので、極めて簡便に治療を行うことのできる医療用記録媒体及び医療装置を提供することを目的としている。
【課題を解決するための手段】
【０００６】
本発明による医療用記録媒体は、適応症に応じて互いに異なる周波数を有しかつ所定レベルの複数の信号を合成して成る調和信号が記録されて成り、複数の適応症に対応する複数の調和信号がそれぞれ所定の時間連続した状態で記録されているものである。
本発明による医療装置は、適応症に応じて互いに異なる周波数を有しかつ所定レベルの複数の信号を合成して成る調和信号が記録されて成り、複数の適応症に対応する複数の調和信号がそれぞれ所定の時間連続した状態で記録されている医療用記録媒体と、上記医療用記録媒体を再生する再生装置と、上記再生装置で再生された上記調和信号を機械的な所定方向の振動に変換して振動体に伝える変換手段を有する医療用振動装置とを備えたものである。
【発明の効果】
【０００７】
本発明による医療用記録媒体によれば、記録された調和信号を再生し、振動に変換して患部に伝えることにより、症状に合った治療を簡単に行うことができる。また、予め症状に合わせて調和信号が記録されているので、使用者は適当なＣＤ等の記録媒体を求め、これを既存の再生装置を用いて再生することができ、自宅等において治療を簡単に行うことができる。
本発明による医療装置によれば、医療用記録媒体から再生装置で再生した調和信号を医療用振動装置で振動体の振動に変換して患部に伝えることにより、症状に合った治療を簡単に行うことができる。従来のように薬を用いたり、手術を行ったりしないので、患者は薬の副作用や手術のこと等を全く心配することなく、しかも何の痛みや苦痛もなく、安全に治療を受けることができる。また、大がかりな設備や器具を用いる必要がなく、装置も小型で軽量に構成できるので、様々な場所に携行することができる。さらに操作も簡単であり、出力が適合する市販のＣＤプレーヤ等の再生装置を用いることができるので、患者自身が家庭用医療装置として用いることができ、自宅等において手軽に簡便に治療を行うことができる。このように従来に比べてはるかに簡便にしかも安全に様々な病気の治療を行うことができるので、患者も気軽に治療を行うことができ、このため手遅れなどなくし、病気を確実に治癒させることができる。
【発明を実施するための最良の形態】
【０００８】
以下、添付図面を参照して、本発明の好適な実施形態について説明する。
本発明の実施の形態の説明に先立ち、本発明を原理的に説明する。
すべての形がある物体（物質）には、それぞれ固有の共鳴する振動数（以下、固有周波数という）がある。その物体が複合体であれば、個々に構成されている物体（構成物体単位）毎にも固有周波数があり、さらには構成される合体の単位でも別の固有周波数を持つことになる。従って、Ａ、Ｂ、Ｃの合体による構成物体があれば、Ａ、Ｂ、Ｃの各固有周波数の他に、Ａ＋Ｂによる固有周波数、Ｂ＋Ｃによる固有周波数、Ａ＋Ｃによる固有周波数、Ａ＋Ｂ＋Ｃによる固有周波数があることになり、それぞれが調和した形になる。
【０００９】
上記のことは人間の身体についても言えることであり、例えば「胃」について観察してみれば、「胃」全体としての塊の固有周波数があり、また胃を構成する例えば「胃壁」などの部分的な固有周波数も内在するはずである。このように人体各部には固有周波数があり、細分化していけば「細胞」レベルまで固有周波数がある。これらの固有周波数は「振動」と共に固有の「場」を形成する。人体の機能低下や疾患は、結果としてこれらの固有周波数や場の乱れを生じさせていることから生じている。従って、その乱れを健康な肉体の各部が本来もっている固有周波数に矯正するために、外部から患部を狙って励振することによって、元来人体が保有する自然治癒力の活性化を図ることができ、治療効果を高めることができる。
【００１０】
本実施の形態は、複数の周波数を組み合わせることにより、人体の機能低下や疾患の種類に合わせて複数の周波数の信号を合成した「調和信号」を作り、この調和信号を記録媒体に記録し、これを再生し、振動させ、この振動を疾患の部位を狙って作用させるようにしたものである。この結果、疾患の種類毎に疾患特有の「場」に対する自然治癒力を活性向上させることができる。
【００１１】
次に、上述した原理に基づく本発明の実施の形態を説明する。
図１に本発明による医療装置の外観を示す。
図１において、１は本発明による医療用記録媒体であり、本実施の形態ではＣＤ１を用いている。２はＣＤ１を再生するＣＤプレーヤ等の再生装置、３は再生装置２でＣＤ１から再生された調和信号を振動に変換する医療用振動装置としてのアンジュレータである。４は再生装置２の再生信号をアンジュレータ３に又は音楽鑑賞のためのスピーカに切換える切換えスイッチ、５は再生装置２の再生信号出力端子、６は切換えスイッチ４と上記出力端子５とを接続するコード、７はアンジュレータ３に一端を接続されたコード、８はコード７の他端に設けられ切換えスイッチ４に接続されるコネクタである。
【００１２】
上記ＣＤ１は複数の適応症に対応して複数の前記調和信号が数分間ずつディジタル記録されている。本実施の形態においては、ｆ1 〜ｆ5 の５つの周波数の信号を合成した信号を調和信号としている。このｆ1 〜ｆ5 の各周波数が種々の適応症に応じて設定されている。
表１は人体の区分として骨格に関する部分及び筋肉に関する部分のｆ1 〜ｆ5 の具体的な数値例を示している。
【００１３】
【表１】
2006271982.tif 000003
【００１４】
骨格に関しては適応症が「座骨」の場合を例として示しており、ｆ1 ＝４７３Ｈｚ、ｆ2 ＝５７３Ｈｚ、ｆ3 ＝６６１Ｈｚ、ｆ4 ＝６７３Ｈｚ、ｆ5 ＝７８４Ｈｚとなっている。筋肉に関しては「筋肉」の場合を例として示しており、ｆ1 ＝５２８Ｈｚ、ｆ2 ＝５７１Ｈｚ、ｆ3 ＝５７３Ｈｚ、ｆ4 ＝６０８Ｈｚ、ｆ5 ＝７０１Ｈｚとなっている。また、本実施の形態では、ｆ1 〜ｆ5 は可聴帯域の周波数を用いている。
【００１５】
これらのｆ1 〜ｆ5 の数値は、実験等により実証的に求められた数値であり、他の適応症についてもそれぞれ求められている。適応症の種類はここでは１０種類ほど挙げているが、実際には数１００種類があり、将来は８０００種類程度になることが見込まれている。また、身体の部位も全身にわたっており、さらに精神的、神経的な適応症についても数値が定められている。
【００１６】
ＣＤ１には、上述したような調和信号がその内容を説明するナレーションと共に例えば約３〜５分間ずつ記録されている。
【００１７】
また、再生装置２は、音楽等が記録された通常のＣＤを再生する市販のＣＤプレーヤを用いることができる。
【００１８】
次にアンジュレータ３は、ケース３ａを有し、このケース３ａには患部に押当てる押当て部３ｂと把持部３ｃとが一体的に形成されている。押当て部３ｂには図２にも示すように、中央に孔３ｄが設けられ、この孔３ｄから振動体３ｅが突出されている。内部には調和信号を電磁変換により機械的な振動に変換して振動体３ｅに伝える駆動機構が設けられている。また３ｆは振動レベルを３段階（高、低、停止）に切換えるスイッチである。
【００１９】
図３は上記駆動機構を示すアンジュレータ３の断面図である。
図３において、ケース３ａの押当て部３ｂ側の内部には、フレーム３１がネジ３２で取付固定されている。このフレーム３１には皿状のヨーク３３が固着され、このヨーク３３の内部にはリング状のマグネット３４が設けられている。フレーム３１にはさらにボビン保持部材３５が、上下２段に設けられたダンパ部材３６、３７を介して図の上下方向（矢印ａ方向）に振動可能に取付けられている。
【００２０】
このポビン保持部材３５にはボビン３８が固着されている。このボビン３８の一端部は上記ヨーク３３とマグネット３４との間の空隙に配され、この部分を含むボビン３８の周面にはボイスコイル３９が巻回されている。また、ボビン保持部材３５には前記振動体３ｅが設けられ、押当て部３ｂの孔３ｄから矢印ａ方向に振動可能に成されている。
【００２１】
上記構成によれば、ボイスコイル３９にＣＤ１から再生された調和信号を供給することにより、通常のスピーカと同様の電磁変換の動作が行われ、ボビン３８、ボビン保持部材３５及び振動体３ｅが一体的にａ方向に可聴帯域周波数で振動する。このとき、必要に応じダンパ部材３６、３７を２段構成とすることにより、このダンパ部材の撓みをなくし、振動が歪むことを防止することができる。
【００２２】
次に上記構成による医療装置を用いて治療を行う場合の動作について説明する。ここでは適応症として「肩凝り」を治療する場合について説明する。
使用者は肩凝り治療用のＣＤ１を再生装置２に装着する。
【００２３】
再生釦を押すと、ＣＤ１が再生される。ＣＤ１に記録されたディジタル信号は再生装置２内で所定の信号処理を受けた後、アナログ信号に変換増幅されてアンジュレータ３に供給され、その振動体３ｅが振動する。まず例えば「アンジュレータを肩全体や背骨の両側に押当てながら上から下へゆっくりと移動させて下さい」等のナレーションがアンジュレータにより再生され、続いて調和信号が再生される。この調和信号は「肩凝り」に合わせてｆ1 〜ｆ5 の各周波数が合成された信号である。
【００２４】
使用者はナレーションや図４に示すような取り扱い説明書の指示に基づいてアンジュレータ３の押当て部３ｂを患部に押当てながら治療を行う。調和信号は数分間再生されるので、必要に応じて再度再生して治療を行う。
以上のようにして、患部をその患部に合った振動で励振する治療を何回か繰り返し行うことにより、自然治癒力が活性化され、患部を治療することができる。
【００２５】
尚、本実施の形態においては、調和信号を形成する周波数をｆ1 〜ｆ5 の５つとしたが５つ以上又は以下でもよい。
また、ＣＤ１にはナレーション、調和信号の他に使い方等に関する動画、静止画等の映像信号を記録するように成し、これを市販のレーザディスク再生プレーヤ等の再生装置で再生するようにしてもよい。
【００２６】
さらに本実施の形態では、医療用記録媒体としてＣＤを用いたが、この他に磁気記録媒体、固体記憶装置等を用いてもよい。
【００２７】
尚、通常の音楽が記録されたＣＤを再生する場合は、切換えスイッチ４をスピーカ側に切換えて再生すればよい。
【図面の簡単な説明】
【００２８】
【図１】本発明による医療装置の実施の形態を示す外観斜視図である。
【図２】本発明による医療用振動装置の実施の形態を示す要部拡大斜視図である。
【図３】医療用振動装置の断面側面図である。
【図４】医療装置の取り扱い説明書の内容の一部を示す構成図である。
【符号の説明】
【００２９】
１  ＣＤ（医療用記録媒体）
２  再生装置
３  アンジュレータ（医療用振動装置）
３ａ  ケース
３ｂ  押当て部
３ｃ  把持部
３ｅ  振動体
３６、３７  ダンパ部材
【図１】
2006271982.tif 000004
【図２】
2006271982.tif 000005
【図３】
2006271982.tif 000006
【図４】
2006271982.tif 000007